(57)【要約】【課題】契約手続の煩雑さを解消し、誰もが手軽に街頭テレビ装置を利用可能にする技術を提供することを目的とする。【解決手段】街頭テレビ装置２０と、街頭テレビ装置２０に接続され、所望するコンテンツを放映させる放映時間を販売する放映時間販売機１０とを備えた放映システムである。放映時間販売機１０は、コンテンツが記録されたコンテンツファイルを読み取る読取手段と、コンテンツファイルを格納する格納手段と、ユーザから前記コンテンツを放映したい放映時間の入力を受付ける入力手段と、コンテンツの放映に必要な費用の決済を行う決済手段と、コンテンツをユーザが指定した放映時間において街頭テレビ装置２０により放映する制御を行う制御手段と、を備える。【選択図】図１
2007034597.tif 000002
【特許請求の範囲】
【請求項１】
街頭テレビ装置と、その街頭テレビ装置に接続され、所望するコンテンツを放映させる放映時間を販売する放映時間販売機とを備えた放映システムであって、
前記放映時間販売機は、
前記コンテンツが記録されたコンテンツファイルを読み取る読取手段と、
前記コンテンツファイルを格納する格納手段と、
ユーザから前記コンテンツを放映したい放映時間の入力を受付ける入力手段と、
前記コンテンツの放映に必要な費用の決済を行う決済手段と、
前記コンテンツを前記放映時間において前記街頭テレビ装置により放映する制御を行う制御手段と、
を備えることを特徴とする放映システム。
【請求項２】
前記格納手段に格納された前記コンテンツファイルに、放映を待機することを示す待機信号を付加する待機信号付加手段と、
前記待機信号を解除して放映を許可する許可信号を取得する許可信号取得手段と、を更に備え、
前記制御手段は、前記許可信号を取得すると前記コンテンツファイルに付加された前記待機信号を解除し、前記コンテンツを前記放映時間において前記街頭テレビ装置により放映する制御を行う、
ことを特徴とする請求項１に記載の放映システム。
【請求項３】
前記放映時間販売機には、前記コンテンツを検閲するための検閲サーバ装置が接続され、
前記放映時間販売機は、前記コンテンツファイルの複製を生成する複製手段と、
前記検閲サーバ装置に対し、前記コンテンツファイルの複製を送信するための販売機送信手段と、
前記検閲サーバ装置から前記許可信号を受信する販売機受信手段と、を備え、
前記検閲サーバ装置は、
前記放映時間販売機から前記コンテンツファイルの複製を受信する検閲サーバ受信手段と、
前記コンテンツファイルの複製に基づいて前記コンテンツを検閲した結果、放映を許可する場合に前記許可信号を生成する許可信号生成手段と、
前記許可信号を前記放映時間販売機に送信する検閲サーバ送信手段と、
備えることを特徴とする請求項２に記載の放映システム。
【請求項４】
街頭テレビ装置と、その街頭テレビ装置に所望するコンテンツを放映させる放映時間を販売する放映時間販売機と、前記街頭テレビ装置の放映制御を行う放映サーバ装置と、をネットワークを介して接続した放映システムであって、
前記放映時間販売機は、
前記コンテンツが記録されたコンテンツファイルを読み取る読取手段と、
前記コンテンツファイルを格納する格納手段と、
ユーザから前記コンテンツを放映したい放映時間の入力を受付ける入力手段と、
前記コンテンツの放映に必要な費用の決済を行う決済手段と、
前記コンテンツファイル及び前記放映時間を示す放映時間情報を送信する販売機送信手段と、を備え、
前記放映サーバ装置は、
前記コンテンツファイル及び前記放映時間情報を受信する放映サーバ受信手段と、
前記コンテンツファイル及び前記放映時間情報に基づいて、前記放映時間において前記街頭テレビ装置に放映する制御を行う制御手段と、
を備えることを特徴とする放映システム。
【請求項５】
前記ネットワークには少なくとも一つの前記街頭テレビ装置が接続され、
ユーザに前記街頭テレビ装置のうちから放映を所望する前記街頭テレビ装置を選択させる選択手段と、を更に備え、
前記制御手段は、前記選択手段により選択された前記街頭テレビ装置に放映する制御を行う、
ことを特徴とする請求項４に記載の放映システム。
【請求項６】
端末装置と、街頭テレビ装置と、前記街頭テレビ装置の放映制御を行う放映サーバ装置と、をネットワークを介して接続した放映システムであって、
前記端末装置は、放映を所望するコンテンツが記録されたコンテンツファイルを読み取る読取手段と、
前記コンテンツを放映させたい前記街頭テレビ装置を選択する選択手段と、
前記街頭テレビ装置に前記コンテンツを放映したい放映時間の入力を受付ける入力手段と、
前記コンテンツの放映に必要な費用情報を受信する端末側受信手段と、
前記コンテンツファイルと、前記放映時間を示す放映時間情報と、前記費用情報に対する決済情報と、を送信する端末送信手段と、を備え、
前記放映サーバ装置は、
前記コンテンツファイル、前記放映時間情報、及び前記決済情報を受信する放映サーバ受信手段と、
前記コンテンツファイル及び前記放映時間情報に基づいて、前記放映時間において前記街頭テレビ装置に放映する制御を行う制御手段と、
前記コンテンツファイルを放映するための費用を算出する費用算出手段と、
前記費用算出手段による算出結果を示す前記費用情報を前記端末装置に送信する放映サーバ送信手段と、
を備えることを特徴とする放映システム。
【請求項７】
前記ネットワークには前記コンテンツを検閲する検閲サーバ装置が接続され、
前記販売機送信手段又は前記端末送信手段は、前記コンテンツファイル及び前記放映時間情報を前記検閲サーバ装置に送信し、
前記検閲サーバ装置は、
前記コンテンツファイル及び前記放映時間情報を受信する検閲サーバ受信手段と、
前記コンテンツファイルに基づいて前記コンテンツを検閲した結果、放映を許可する場合に前記放映サーバ装置に対し前記コンテンツファイル及び前記放映時間情報を転送する転送手段と、を備える、
ことを特徴とする請求項４乃至６のいずれか一つに記載の放映システム。
【請求項８】
前記放映時間販売機は、前記放映時間の長さ又は前記放映時間に前記コンテンツを放映した場合に期待できる視聴者数の少なくとも一つに基づいて放映するために必要な費用を算出する費用算出手段を更に備える、又は前記放映サーバ装置の費用算出手段は、前記放映時間の長さ又は前記放映時間に前記コンテンツを放映した場合に期待できる視聴者数の少なくとも一つに基づいて放映するために必要な費用を算出する、
ことを特徴とする請求項１乃至７のいずれか一つに記載の放映システム。
【請求項９】
前記放映時間販売機又は前記端末装置は、前記ユーザに対する返金処理を行うために必要な連絡先情報の入力を受付ける連絡先情報受付手段を更に備え、
前記販売機送信手段又は前記端末送信手段は、前記連絡先情報を前記放映時間販売機、前記検閲サーバ装置、及び前記放映サーバ装置のいずれか一つに送信し、
前記放映時間販売機、前記検閲サーバ装置、及び前記放映サーバ装置のいずれか一つは、前記連絡先情報を受信してその連絡先情報に基づいて返金処理を行なう返金処理手段を更に備える、
ことを特徴とする請求項１乃至８のいずれか一つに記載の放映システム。
【請求項１０】
前記放映時間販売機、前記検閲サーバ装置、及び前記放映サーバ装置のいずれか一つは、放映終了した前記コンテンツファイル又は放映が許可されない前記コンテンツファイルを削除する削除手段を更に備える、
ことを特徴とする請求項１乃至９のいずれか一つに記載の放映システム。
【請求項１１】
街頭テレビ装置に放映させたいコンテンツを記録したコンテンツファイルを読み取る読取手段と、
前記コンテンツファイルを格納する格納手段と、
ユーザから前記コンテンツを放映したい放映時間の入力を受付ける入力手段と、
前記コンテンツファイルの放映に必要な費用の決済を行う決済手段と、
を備えたことを特徴とする放映時間販売機。
【請求項１２】
前記街頭テレビ装置と接続され、
前記格納手段に格納された前記コンテンツファイルに、放映を待機することを示す待機信号を付加する待機信号付加手段と、
前記待機信号を解除して放映を許可する許可信号を取得する許可信号取得手段と、
前記許可信号を取得すると前記コンテンツファイルに付加された前記待機信号を解除し、前記放映時間において前記街頭テレビ装置に放映する制御を行う制御手段とを、更に備える、
ことを特徴とする請求項１１に記載の放映時間販売機。
【請求項１３】
街頭テレビ装置に放映を所望するコンテンツが記録されたコンテンツファイルを取得する取得手段と、
前記コンテンツファイルが、放映禁止条件に該当するか否かを判定する検閲手段と、
前記検閲手段により検閲した結果、放映を許可する場合には、放映させる前記街頭テレビ装置に対して前記コンテンツファイルを送信する、又は前記街頭テレビ装置の放映制御を行う制御手段に対して放映を許可する許可信号を送信する、
ことを特徴とする検閲サーバ装置。
【請求項１４】
放映を所望するコンテンツを記録したコンテンツファイルを読み込む読込ステップと、ユーザから前記コンテンツを放映する放映時間の入力を受付ける入力指示ステップと、
前記放映に必要な費用の決済を行う決済ステップと、
前記コンテンツを街頭テレビ装置に放映する制御を行なう制御ステップと、
をコンピュータに実行させる放映時間販売機の制御プログラム。
【発明の詳細な説明】
【技術分野】
【０００１】
本発明は、放映システム、放映時間販売機、検閲サーバ装置、及び放映時間販売機の制御プログラムに係り、特に、街頭テレビ装置の放映権の個人購入を可能にする技術に関する。
【背景技術】
【０００２】
従来、街頭テレビ装置を管理する放映会社と契約を行い、所望する広告を街頭テレビ装置に表示させることが行われている。
【０００３】
特許文献１は、ユーザに適した広告やコンテンツなどの情報を街頭テレビ装置に放映する情報供給システムを開示する。この情報供給システムは、ユーザが街頭テレビ装置に近づくと、携帯電話等で取得した位置情報及び個人情報に基づき、予めサーバ装置に保存した広告データのうち、このユーザに合った広告の放映を開始する。
【特許文献１】特開２００３−１２５３７９号公報
【発明の開示】
【発明が解決しようとする課題】
【０００４】
しかし、街頭テレビ装置に広告を放映させるためには、予め放映会社との契約が必要であり、この契約手続が煩雑であるという問題があった。また、個人で広告を含む所望のコンテンツを放映するには放映権料が高いため、街頭テレビ装置は個人で使用できる媒体として機能し得ないという問題があった。
【０００５】
本発明は、上記問題に鑑みてなされたものであり、契約手続の煩雑さを解消し、誰もが手軽に街頭テレビ装置を利用可能にする技術を提供することを目的とする。
【課題を解決するための手段】
【０００６】
上記目的を達成するために、本発明に係る放映システムは、街頭テレビ装置と、その街頭テレビ装置に接続され、所望するコンテンツを放映させる放映時間を販売する放映時間販売機とを備えた放映システムであって、前記放映時間販売機は、前記コンテンツが記録されたコンテンツファイルを読み取る読取手段と、前記コンテンツファイルを格納する格納手段と、ユーザから前記コンテンツを放映したい放映時間の入力を受付ける入力手段と、前記コンテンツの放映に必要な費用の決済を行う決済手段と、前記コンテンツを前記放映時間において前記街頭テレビ装置により放映する制御を行う制御手段と、を備える。
【０００７】
これにより、街頭テレビ装置に接続された放映時間自動販売機を用いて放映時間を入力し、必要な放映費用を決済すると街頭テレビ装置にコンテンツを放映させることができる。
【０００８】
また、前記格納手段に格納された前記コンテンツファイルに、放映を待機することを示す待機信号を付加する待機信号付加手段と、前記待機信号を解除して放映を許可する許可信号を取得する許可信号取得手段と、を更に備え、前記制御手段は、前記許可信号を取得すると前記コンテンツファイルに付加された前記待機信号を解除し、前記コンテンツを前記放映時間において前記街頭テレビ装置により放映する制御を行う。
【０００９】
許可信号取得手段は、街頭テレビ装置に備えられたキーボードやタッチパネルなどの操作手段を用いて許可信号を入力させる手段でもよいし、ネットワークを介して許可信号を受信する手段でもよい。また、一旦検閲されて放映許可がされたコンテンツファイルに予め許可信号を付加しておき、この付加された許可信号を読み取る手段として構成しても良い。
【００１０】
これにより、読み取ったコンテンツファイルが放映許可された場合にのみ放映をおこなってもよい。
【００１１】
また、前記放映時間販売機には、前記コンテンツを検閲するための検閲サーバ装置が接続され、前記放映時間販売機は、前記コンテンツファイルの複製を生成する複製手段と、前記検閲サーバ装置に対し、前記コンテンツファイルの複製を送信するための販売機送信手段と、前記検閲サーバ装置から前記許可信号を受信する販売機受信手段と、を備え、前記検閲サーバ装置は、前記放映時間販売機から前記コンテンツファイルの複製を受信する検閲サーバ受信手段と、前記コンテンツファイルの複製に基づいて前記コンテンツを検閲した結果、放映を許可する場合に前記許可信号を生成する許可信号生成手段と、前記許可信号を前記放映時間販売機に送信する検閲サーバ送信手段と、備えてもよい。
【００１２】
これにより、コンテンツが放映してもよい内容である場合にのみ街頭テレビ装置に放映させることができる。
【００１３】
また本発明に係る放映システムは、街頭テレビ装置と、その街頭テレビ装置に所望するコンテンツを放映させる放映時間を販売する放映時間販売機と、前記街頭テレビ装置の放映制御を行う放映サーバ装置と、をネットワークを介して接続した放映システムであって、前記放映時間販売機は、前記コンテンツが記録されたコンテンツファイルを読み取る読取手段と、前記コンテンツファイルを格納する格納手段と、ユーザから前記コンテンツを放映したい放映時間の入力を受付ける入力手段と、前記コンテンツの放映に必要な費用の決済を行う決済手段と、前記コンテンツファイル及び前記放映時間を示す放映時間情報を送信する販売機送信手段と、を備え、前記放映サーバ装置は、前記コンテンツファイル及び前記放映時間情報を受信する放映サーバ受信手段と、前記コンテンツファイル及び前記放映時間情報に基づいて、前記放映時間において前記街頭テレビ装置に放映する制御を行う制御手段と、を備える。
【００１４】
これにより、街頭テレビ装置に接続された放映時間自動販売機を用いて放映時間を入力し、必要な放映費用を決済すると街頭テレビ装置にコンテンツを放映させることができる。また、放映時間販売機に直接接続されていない街頭テレビ装置であっても、放映サーバ装置による放映制御により所望するコンテンツを放映させることができるため、放映時間販売機から遠隔地にある街頭テレビ装置の放映時間も購入することができる。
【００１５】
また、前記ネットワークには少なくとも一つの前記街頭テレビ装置が接続され、ユーザに前記街頭テレビ装置のうちから放映を所望する前記街頭テレビ装置を選択させる選択手段と、を更に備え、前記制御手段は、前記選択手段により選択された前記街頭テレビ装置に放映する制御を行う。
【００１６】
これにより、複数の街頭テレビ装置がある場合に、所望する街頭テレビ装置を選択してコンテンツを放映させることができる。
【００１７】
また、本発明に係る放映システムは、端末装置と、街頭テレビ装置と、前記街頭テレビ装置の放映制御を行う放映サーバ装置と、をネットワークを介して接続した放映システムであって、前記端末装置は、放映を所望するコンテンツが記録されたコンテンツファイルを読み取る読取手段と、前記コンテンツを放映させたい前記街頭テレビ装置を選択する選択手段と、前記街頭テレビ装置に前記コンテンツを放映したい放映時間の入力を受付ける入力手段と、前記コンテンツの放映に必要な費用情報を受信する端末側受信手段と、前記コンテンツファイルと、前記放映時間を示す放映時間情報と、前記費用情報に対する決済情報と、を送信する端末送信手段と、を備え、前記放映サーバ装置は、前記コンテンツファイル、前記放映時間情報、及び前記決済情報を受信する放映サーバ受信手段と、前記コンテンツファイル及び前記放映時間情報に基づいて、前記放映時間において前記街頭テレビ装置に放映する制御を行う制御手段と、前記コンテンツファイルを放映するための費用を算出する費用算出手段と、前記費用算出手段による算出結果を示す前記費用情報を前記端末装置に送信する放映サーバ送信手段と、を備えることを特徴とする。
【００１８】
これにより、端末装置から放映サーバ装置に対してコンテンツの放映要求及び決済ができ、ユーザの自宅にあるパソコンからも放映権を購入することができる。
【００１９】
また、前記ネットワークには前記コンテンツを検閲する検閲サーバ装置が接続され、前記販売機送信手段又は前記端末送信手段は、前記コンテンツファイル及び前記放映時間情報を前記検閲サーバ装置に送信し、前記検閲サーバ装置は、前記コンテンツファイル及び前記放映時間情報を受信する検閲サーバ受信手段と、前記コンテンツファイルに基づいて前記コンテンツを検閲した結果、放映を許可する場合に前記放映サーバ装置に対し前記コンテンツファイル及び前記放映時間情報を転送する転送手段と、を備える
これにより、コンテンツが放映してもよい内容か否かを判断することが出来る。
【００２０】
また、前記放映時間販売機は、前記放映時間の長さ又は前記放映時間に前記コンテンツを放映した場合に期待できる視聴者数の少なくとも一つに基づいて放映するために必要な費用を算出する費用算出手段を更に備える、又は前記放映サーバ装置の費用算出手段は、前記放映時間の長さ又は前記放映時間に前記コンテンツを放映した場合に期待できる視聴者数の少なくとも一つに基づいて放映するために必要な費用を算出する。
【００２１】
これにより、放映時間の多少や放映需要に応じて放映費用を算出することが出来る。
【００２２】
また、前記放映時間販売機又は前記端末装置は、前記ユーザに対する返金処理を行うために必要な連絡先情報の入力を受付ける連絡先情報受付手段を更に備え、前記販売機送信手段又は前記端末送信手段は、前記連絡先情報を前記放映時間販売機、前記検閲サーバ装置、及び前記放映サーバ装置のいずれか一つに送信し、前記放映時間販売機、前記検閲サーバ装置、及び前記放映サーバ装置のいずれか一つは、前記連絡先情報を受信してその連絡先情報に基づいて返金処理を行なう返金処理手段を更に備える。
【００２３】
返金処理手段は、コンテンツを検閲した結果、放映にふさわしくないと判断されたり、街頭テレビ装置の故障等により予定されていた放映が出来なくなったりした場合に返金処理を行う。
【００２４】
これにより、放映時間自動販売機により放映料を予納していても、放映の可否に応じて返金処理を行なうことができる。
【００２５】
また、前記放映時間販売機、前記検閲サーバ装置、及び前記放映サーバ装置のいずれか一つは、放映終了した前記コンテンツファイル又は放映が許可されない前記コンテンツファイルを削除する削除手段を更に備える。
【００２６】
これにより、不要になったコンテンツファイルを削除し格納手段の空き容量を確保することができる。
【００２７】
本発明にかかる放映時間自動販売機は、街頭テレビ装置に放映させたいコンテンツを記録したコンテンツファイルを読み取る読取手段と、前記コンテンツファイルを格納する格納手段と、ユーザから前記コンテンツを放映したい放映時間の入力を受付ける入力手段と、前記コンテンツファイルの放映に必要な費用の決済を行う決済手段と、を備える。
【００２８】
これにより、街頭テレビ装置の放映時間を放映会社との煩雑な契約手続を経ることなく購入することができる。
【００２９】
また、前記街頭テレビ装置と接続され、前記格納手段に格納された前記コンテンツファイルに、放映を待機することを示す待機信号を付加する待機信号付加手段と、前記待機信号を解除して放映を許可する許可信号を取得する許可信号取得手段と、前記許可信号を取得すると前記コンテンツファイルに付加された前記待機信号を解除し、前記放映時間において前記街頭テレビ装置に放映する制御を行う制御手段とを、更に備える。
【００３０】
これにより、放映が許可されたコンテンツのみ放映することができる。
【００３１】
また、本発明に係る検閲サーバ装置は、街頭テレビ装置に放映を所望するコンテンツが記録されたコンテンツファイルを取得する取得手段と、前記コンテンツファイルが、放映禁止条件に該当するか否かを判定する検閲手段と、前記検閲手段により検閲した結果、放映を許可する場合には、放映させる前記街頭テレビ装置に対して前記コンテンツファイルを送信する、又は前記街頭テレビ装置の放映制御を行う制御手段に対して放映を許可する許可信号を送信する。
【００３２】
これによりコンテンツが放映されるのにふさわしい内容である場合に放映許可をすることができる。
【００３３】
また、本発明に係る放映時間販売機の制御プログラムは、放映を所望するコンテンツを記録したコンテンツファイルを読み込む読込ステップと、ユーザから前記コンテンツを放映する放映時間の入力を受付ける入力指示ステップと、前記放映に必要な費用の決済を行う決済ステップと、前記コンテンツを街頭テレビ装置に放映する制御を行なう制御ステップと、をコンピュータに実行させる。
【発明の効果】
【００３４】
本発明によれば、契約手続の煩雑さを解消し、誰もが手軽に街頭テレビ装置を利用可能にする技術を提供することができる。
【発明を実施するための最良の形態】
【００３５】
以下添付図面に従って本発明に係る放映時間販売機及び放映システムの好ましい実施の形態について詳説する。
【００３６】
＜第一実施形態＞
[システムの概略構成]
図１は、本発明に係る放映システム１を示す。放映システム１は、放映時間自動販売機（以下「販売機」という。）１０と、販売機１０に接続された街頭テレビ装置２０と、街頭テレビ装置２０で放映するコンテンツを検閲する検閲サーバ装置３０と、販売機１０と検閲サーバ装置３０とを接続するネットワーク４０とにより構成される。ネットワーク４０は、インターネットなどの公衆回線網のほか、専用回線でもよい。街頭テレビ装置２０の設置場所は屋内及び屋外を問わない。販売機１０及び街頭テレビ装置２０をホテルのロビーや駅構内などの屋内スペースに設置し、更に検閲サーバ装置３０を管理室などの同一屋内スペースに設置する場合には、販売機１０と検閲サーバ装置３０とをローカルエリアネットワークにより接続してもよい。
【００３７】
図２は、販売機１０及び街頭テレビ装置２０の外観図である。
【００３８】
販売機１０は、放映予定のコンテンツを編集したり、確認したりするためにコンテンツを表示させるための受付用モニタ１１と、販売機１０の操作案内やコンテンツの音声を出力するためのスピーカ１２と、放映料金の支払いを行なうために硬貨及び紙幣を投入するためのコイン・紙幣投入口１３と、キーボードやテンキーなどの受付操作部１４と、コンテンツファイルを格納したＤＶＤ、ＣＤ、ｘＤピクチャーカードなどのメモリカードを含むメディア媒体１５ａを挿入可能なメディアスロット１５と、レシートや釣銭を取出すための投出口１６ａと、を備える。キーボードやテンキーなどの受付操作部１４は、受付用モニタ１１に表示されるタッチパネルとして構成してもよい。また、放映料金の支払いは、現金決済に限らず、クレジットカードやデビッドカードや、決済機能を備えた携帯電話を用いてもよい。この場合、コイン・紙幣投入口１３に代えて、クレジットカードやデビッドカードの挿入口、及び携帯電話から決済情報を受信するための受信部など、現金決済以外の決済手段を受け付ける手段を備えてもよい。
【００３９】
街頭テレビ装置２０は、コンテンツを表示する大型モニタ２１と、音声を出力するスピーカ−２２とを備える。
【００４０】
図３は、放映システム１を構成する販売機１０、街頭テレビ装置２０、及び検閲サーバ装置３０の概略構成を示すブロック図である。
【００４１】
販売機１０は、受付用モニタ１１、スピーカ１２、コイン・紙幣投入口１３、受付操作部１４、メディアスロット１５、レシートをプリントするプリンタ部１６及びそのプリントや釣銭を排出する投出口１６ａ、販売機1０及び街頭テレビ装置２０の動作制御を行うシステム制御部１７、メディアスロット１５に挿入されたメディア媒体１５ａから読み込んだコンテンツファイルを格納するハードディスク（以下「ＨＤＤ」という）１８、街頭テレビ装置２０に放映する直前に放映するコンテンツを一時的に格納するキャッシュ１８ａ、及びプログラムの実行空間となるメモリ１８ｂ、インターネットなどのネットワークに接続するための端子からなる通信インターフェース（以下「Ｉ／Ｆ」という）１９ａ、販売機１０と街頭テレビ装置２０とを接続するための接続コネクタからなる接続Ｉ／Ｆ１９ｂとを備え、これらの各構成要件は電気的に接続される。
【００４２】
受付用モニタ１１及びスピーカ１２は、システム制御部１７から指示に従って販売機１０の操作案内を表示する。コイン・紙幣投入口１３は、システム制御部１７との間で、入金・出金信号を送受信し決済処理を行う。受付操作部１４は、ユーザがキーボードやタッチパネルなどにより入力した操作信号をシステム制御部１７に出力する。メディアスロット１５は、コンテンツファイルを格納したメディア媒体１５ａの挿入を受付け、システム制御部１７がそのコンテンツファイルを読み取り、ＨＤＤ１８に格納する。プリンタ部１６は、システム制御部１７からの指示に従って入金された金額を印刷し、また、受付操作部１４により入力された放映希望時間などの契約内容を紙媒体（レシート）にプリントする。システム制御部１７は、レシートと、コイン・紙幣投入口１３から投入された金額に対し必要となる釣銭とを投出口１６ａに排出制御する。
【００４３】
街頭テレビ装置２０は、大型モニタ２１、スピーカ２２、及び接続コネクタからなる接続Ｉ／Ｆ２９ｂを備える。販売機１０の接続Ｉ／Ｆ１９ｂと街頭テレビ装置２０の接続Ｉ／Ｆ２９ｂとは、同軸ケーブルなどにより電気的に接続される。販売機１０のシステム制御部１７は、制御信号、映像信号、音声信号を街頭テレビ装置２０に出力する。街頭テレビ装置２０は、大型モニタ２１に受信した映像信号に基づく画像を表示し、音声信号に基づく音声をスピーカ２２から出力する。
【００４４】
検閲サーバ装置３０は、検閲サーバ装置３０の入力指示を行うためのキーボードやマウスからなる操作部３４、動作制御を行うサーバ制御部３７、受信したコンテンツ情報を格納するためのＨＤＤ３８、メモリ３８ｂ、受信したコンテンツ情報を確認するために表示させるモニタ３１、及びデータの送受信を行なうための通信Ｉ／Ｆ３９ａを備える。
【００４５】
次に図４に基づいて、販売機１０のシステム制御部１７が実行するプログラムを説明する。図４は、システム制御部１７が実行するプログラムの構成を示すブロック図である。
【００４６】
プログラムは、ユーザに販売機１０の操作案内を表示したり音声ガイドを出力したりする制御を行なう操作ガイド部１７ａ、メディアスロット１５に挿入されたメディア媒体１５ａに記録されたコンテンツファイルを読み込む読込部１７ｂ、受付操作部１４からの入力指示を受付ける入力指示受付部１７ｃ、読込部１７ｂが読み込んだコンテンツファイルに放映待機信号を付加してＨＤＤ１８に格納処理する待機信号付加部１７ｄ、放映許可を示す許可信号を取得すると、ＨＤＤ１８からコンテンツファイルを読み出して待機信号を解除し、キャッシュ１８ａにロードする待機解除部１７ｅ、キャッシュ１８ａのコンテンツファイルを街頭テレビ装置２０に送出し放映する放映制御部１７ｆ、街頭テレビ装置２０に放映するために必要な費用を算出する費用算出部１７ｇ、コイン・紙幣投入口１３と入金・出金信号を送受信し決済処理を行なう決済部１７ｈ、読込部１７ｂが読み込んだコンテンツファイルのコピー情報を生成する複製部１７ｉ、検閲サーバ装置３０とデータを送受信するための通信部１７ｊ、及び決済部１７ｈが決済した決済額を紙媒体に印刷するプリンタ部１６の制御を行なうプリンタ制御部１７ｋ、不要になったコンテンツファイルを削除する削除部１７ｌ、放映を所望する街頭テレビ装置２０を選択するためのテレビ選択部１７ｍとを備える。第一実施形態では、テレビ選択部１７ｍは必須ではなく、第二実施形態において必須になる。
【００４７】
システム制御部１７は、これらのプログラムをメモリ１８ｂ上にロードし、実行する。システム制御部１７は、これらの機能を実現するＡＳＩＣ回路により構成しても良い。
【００４８】
次に図５に基づいて、検閲サーバ装置３０のサーバ制御部３７が実行するプログラムを説明する。図５は、サーバ制御部３７が実行するプログラムの構成を示すブロック図である。
【００４９】
プログラムは、販売機１０から受信したりＨＤＤ３８から読み出したりすることによりコンテンツファイルを取得する取得部３７ａ、コンテンツファイルが所定の放映禁止条件に該当するか否かを判定する検閲部３７ｂ、検閲部３７ｂが放映禁止条件に該当しないと判断した場合又は検閲者が操作部３４により放映許可を示す情報を入力した場合に許可信号を生成する許可信号生成部３７ｃ、検閲部３７ｂの検閲結果又は検閲者による検閲結果により放映を禁止すると判断された場合に返金処理を行う返金処理部３７ｄ、放映を禁止すると判断された場合に販売機１０のＨＤＤ１８に格納されたコンテンツを削除指示する削除指示部３７ｅ、販売機１０とデータを送受信するための通信部３７ｆ、及びモニタ３１に取得部３７ａが取得したコンテンツを表示させる表示制御部３７ｇ、及び検閲部３７ｂ又は検閲者の検閲結果に基づいてコンテンツファイル等の転送処理を行なう転送処理部３７ｈを備える。このうち、第一実施形態では、転送処理部３７ｈは必須ではなく、第二実施形態において必須になる。
【００５０】
〔処理の流れ〕
図６乃至図１３に基づいて処理の流れを説明する。図６は、販売機１０により放映時間を販売する処理の流れを示すフローチャートである。図７は、販売機１０により放映時間を販売した後の処理の流れを示すフローチャートである。以下図６及び図７の各ステップ順に沿って説明する。
【００５１】
（ステップＳ１）
ユーザは、販売機１０のメディアスロット１５に放映したいコンテンツファイルが記録されたメディア媒体１５ａを挿入する（Ｓ１）。読込部１７ｂは、メディア媒体１５ａからコンテンツファイルを読み込む。操作ガイド部１７ａは、受付用モニタ１１に図８の放映時間入力画面８０を表示し、音声ガイダンスをスピーカ１２から出力する。放映時間入力画面８０は、希望する放映時間を入力する領域８１と、現在の予約状況を表示する領域８２と、次の画面に遷移させるためのソフトアイコンからなる「次へ」ボタン８３と、操作を取り消すための「キャンセルボタン」８４とを含む。
【００５２】
(ステップＳ２)
ユーザは、受付操作部１４を操作して放映時間入力画面８０に希望する放映時間帯を入力する（Ｓ２）。ユーザは、「放映開始日」、「放映終了日」、「放映時間」、及び当日、毎日、毎日曜日等の「放映パターン」を入力する。入力指示受付部１７ｃは、受付操作部１４からの入力指示を受付けて、メモリ１８ｂに一時記憶する。ユーザは、放映時間の入力が終了すると「次へ」ボタン８３を操作する。
【００５３】
操作ガイド部１７ａは、図９の連絡先入力画面９０を表示し、音声ガイダンスを出力する。連絡先入力画面９０は、連絡先を入力する領域９１と、「次へ」ボタン９２と、「キャンセル」ボタン９３とを含む。連絡先を入力する領域９１は、ユーザの「住所」、「氏名」、「電話番号」、返金が生じたときに振込ための「口座番号」、及び「メールアドレス」を入力する。入力指示受付部１７ｃは、受付操作部１４からの入力指示を受付けて、メモリ１８ｂに一時記憶する。ユーザは、連絡先情報の入力が終了すると「次へ」ボタン９２を操作する。
【００５４】
操作ガイド部１７ａは、図１０の確認画面１００を表示する。確認画面１００は、入力指示受付部１７ｃが受付けた情報を示す領域１０１と、「次へ」ボタン１０２と、「キャンセル」ボタン１０３と、前画面に遷移させるための「戻る」ボタン１０４とを含む。ユーザは、確認画面１００により入力情報を確認し、内容が正しければ「次へ」ボタン１０２を操作する。内容を修正したい場合には、「戻る」ボタン１０４を操作し、前画面を表示させて修正する。
【００５５】
（ステップＳ３）
費用算出部１７ｇは、Ｓ２で入力された放映時間に対する放映料金を算出する（Ｓ３）。
費用算出部１７ｇは、Ｓ２で入力された放映時間で放映した場合に期待される視聴者に応じて料金を算出する。例えば街頭テレビ装置２０を設置した近傍の人通りの多少や、放映時間帯などに基づいて放映料金を算出する。放映料金には、コンテンツを街頭テレビ装置２０を利用して放映するための費用である「システム使用料」と、検閲サービスを受けるための費用である「検閲サービス料」とが含まれる。「システム使用料」及び「検閲サービス料」を固定料金にした場合には、費用算出部１７ｇは必須構成要件でない。
【００５６】
（ステップＳ４）
決済部１７ｈは、Ｓ３で算出した放映料金、又は固定料金を図１１に示す料金表示画面１１０により表示する。料金表示画面１１０は、放映料金の明細を表示する領域１１１と、「次へ」ボタン１１２と、「キャンセル」ボタン１１３と、を含む。ユーザは、コイン・紙幣投入口１３に必要な放映料金を投入する。決済部１７ｈは、コイン・紙幣投入口１３に投入された金額を計上し、必要な釣銭を投出口１６ａに投出し決済処理が実行される（Ｓ４）。ユーザは、放映料金を投入すると、「次へ」ボタン１１２を操作する。
【００５７】
（ステップＳ５）
操作ガイド部１７ａは、図１２の終了画面１２０を表示する。待機信号付加部１７ｄは、メモリ１８ｂにロードされているコンテンツファイルに放映を待機する信号としての待機フラグを付加し、ＨＤＤ１８に格納する。コンテンツファイルには、同じくメモリ１８ｂにロードされている放映時間及び連絡先情報を関連付けて格納する。図１３は、ＨＤＤ１８に格納されるコンテンツファイル管理ＤＢ１３０の構造を示す模式図である。
コンテンツファイル管理ＤＢ１３０において、「待機フラグ」レコードに「１」が入力されているコンテンツファイルは、放映待機状態であることを示す。「待機フラグ」レコードが「NULL」であるコンテンツファイルは、後述する検閲サーバ装置３０から許可信号を受信し、待機信号を解除したステータスにあることを示す。またプリンタ制御部１７ｋは、プリンタ部１６に決済金額、放映時間などの販売内容をプリントしたレシートを発行させ、投出口１６ａに投出させる。以上で、ユーザが販売機１０により街頭テレビ装置２０の放映時間を購入する処理の流れは終了する。
【００５８】
ユーザが販売機１０により街頭テレビ装置２０の放映時間を購入すると、販売機１０及び検閲サーバ装置３０により、コンテンツファイルが放映に適した内容であるかを判断し、判断結果に基づいて放映処理又は放映不許可による返金処理が行なわれる。この処理の流れを図７に基づいて説明する。
【００５９】
（ステップＳ６）
販売機１０の複製部１７ｉは、ＨＤＤ１８に格納されたコンテンツファイルのコピー（以下「コピーファイル」という）を生成する（Ｓ６）。
【００６０】
（ステップＳ７）
販売機１０の通信部１７ｊは、通信Ｉ／Ｆ１９ａを介して検閲サーバ装置３０にコピーファイルを送信する（Ｓ７）。検閲サーバ装置３０の通信部３７Ｆは、通信Ｉ／Ｆ３９ａを介してコピーファイルを受信し、取得部３７ａが、メモリ３８ｂにロードする。
【００６１】
（ステップＳ８）
検閲部３７ｂは、メモリ３８ｂにロードされたコピーファイルが所定の放映禁止条件に該当するか判断する（Ｓ８）。放映禁止条件としては、例えば、コンテンツファイルにコピー防止機能がついているものは放映禁止に該当するという条件を設けてもよい。コピー防止機能がついているコンテンツファイルを街頭テレビ装置２０に放映すると著作権上の公衆送信に該当して著作権侵害になるおそれがあるためである。その他、公序良俗に反する画像を自動的に検出し、放映禁止条件に該当すると判断しても良い。
【００６２】
（ステップＳ９）
Ｓ８の検閲自動処理の結果、放映禁止条件に全く該当しない場合にはＳ１０へ進む。一つでも放映禁止条件に該当する場合には、Ｓ１３へ進む（Ｓ９）。
【００６３】
（ステップＳ１０）
許可信号生成部３７ｃは、販売機１０のＨＤＤ１８のコンテンツファイル管理ＤＢ１３０の「待機フラグ」を解除するための許可信号を生成し、販売機１０に送信する（Ｓ１０）。
【００６４】
（ステップＳ１１）
販売機１０の通信部１７ｊが許可信号を受信すると、待機解除部１７ｅがＨＤＤ１８のコンテンツファイル管理ＤＢ１３０の「待機フラグ」レコードを「１」から「ＮＵＬＬ」へ変更する（Ｓ１１）。
【００６５】
（ステップＳ１２）
放映制御部１７ｆは、待機状態が解除されたコンテンツファイルを放映時間前にキャッシュ１８ａに読み出し、放映時間になると街頭テレビ装置２０にコンテンツファイルを送出する。街頭テレビ装置２０は、放映時間帯にコンテンツファイルを大型モニタ２１に表示し、スピーカ２２から音声を出力する。そしてＳ１６へ進む。
【００６６】
（ステップＳ１３）
検閲部３７ｂによる検閲自動処理の結果、放映ができないと判断されたコピーファイルを、検閲者が検閲する。検閲者は、操作部３４によりコピーファイルの表示指示を行ない、モニタ３１に表示させコピーファイルの内容を確認する（Ｓ１３）。
【００６７】
（ステップＳ１４）
検閲者が放映してもよいと判断した場合には、操作部３４により許可信号の生成指示を入力する。そしてＳ１０へ進む。検閲者が放映してはいけないと判断した場合には、検閲不許可信号を生成し、販売機１０へ送信する。そしてＳ１５へ進む（Ｓ１４）。
【００６８】
(ステップＳ１５)
返金処理部３７ｄは、販売機１０に対し許可信号を生成できないコピーファイルの放映を申し込んだユーザの連絡先情報及び口座番号の送信を要求する。販売機１０の待機解除部１７ｅは、その要求に応じて、ＨＤＤ１８から連絡先情報及び口座番号を抽出し、検閲サーバ装置３０に送信する。返金処理部３７ｄは、その口座番号に返金が必要となる上述のシステム使用料相当額を振込む（Ｓ１５）。更に返金処理部３７ｄは、ユーザのメールアドレスに対して放映が出来ない旨を伝える電子メールを送信する。削除指示部３７ｅは、販売機１０に対して放映できないコンテンツファイルを削除させるための削除信号を送出し、コピーファイルも削除する。
（ステップＳ１６）
放映時間帯におけるコンテンツファイルの放映が終了した場合、及び削除信号を受信した場合に、削除部１７ｌは、ＨＤＤ１８から放映が終了したコンテンツファイルを削除する。そして処理を終了する。
【００６９】
上記実施形態によれば、販売機１０で放映時間を指定し料金を投入するだけで、検閲済みのコンテンツを放映することができる。これにより、契約手続の煩雑さを解消し、誰もが手軽に街頭テレビ装置を利用することができる。
【００７０】
なお、上記実施形態では、検閲サーバ装置３０による自動検閲処理と、検閲者による検閲処理とを行なったが、どちらか一方だけでもよい。その場合、Ｓ８及びＳ９かＳ１３及びＳ１４のどちらか一方のみを実行すればよい。
【００７１】
また、検閲処理は、放映システムの一連の処理において必須でない。例えば、予め検閲処理を行ない、放映してもよいと判断されたコンテンツファイルに検閲済みフラグ（許可信号でもよい）を付けてメディア媒体１５ａに格納する。そして、販売機１０のシステム制御部１７がメディアスロット１５からコンテンツファイルを読取り、検閲済みフラグを検出すると、放映制御部１７ｆが放映処理を行なう。検閲済みフラグの検出は、待機解除部１７ｅが行なってもよいし、検閲済みフラグを検出するためのプログラム（検閲済フラグ検出部）を備えてもよい。この場合、検閲処理を行う必要がないので、販売機１０は、コンテンツファイルのコピーを生成し、検閲サーバ装置３０に送信する必要がない。これにより、例えば、一度検閲サーバ装置３０で放映許可がされたコンテンツを、再度放映する場合に、同じコンテンツに対して二度目の検閲処理を行なう必要がなくなる。また、検閲事業者による検閲をうけたコンテンツファイルを販売機１０を介して放映する場合にも、再度の検閲処理を回避することができる。
【００７２】
＜第二実施形態＞
〔システムの概略構成〕
図１４に基づいて第二実施形態にかかる放映システム１を説明する。本実施形態に係る放映システム１は、ネットワーク４０に販売機１０と複数の街頭テレビ装置２０Ａ、Ｂと、複数の街頭テレビ装置２０Ａ、Ｂの放映制御を行なう放映サーバ装置５０とが接続される。そして、ユーザは、販売機１０においてどの街頭テレビ装置２０にコンテンツファイルを放映させるかを指定する。放映サーバ装置５０は、検閲サーバ装置３０から放映許可されたコンテンツファイルを受信し、ユーザが指定した街頭テレビ装置２０にコンテンツファイルを放映する制御を行なう。
【００７３】
次に図１５に基づいて、本実施形態に係る販売機１０、検閲サーバ装置３０、放映サーバ装置５０のハードウェア構成について説明する。図１５は、本実施形態に係る販売機１０、検閲サーバ装置３０、放映サーバ装置５０のハードウェア構成を示すブロック図である。
【００７４】
販売機１０は、受付用モニタ１１、スピーカ１２、コイン・紙幣投入口１３、受付操作部１４、メディアスロット１５、プリンタ部１６及び投出口１６ａ、システム制御部１７、ＨＤＤ１８、メモリ１８ｂ、及び通信Ｉ／Ｆ１９ａを備え、これらの各構成要件は電気的に接続される。
【００７５】
街頭テレビ装置２０は、大型モニタ２１、スピーカ２２、及び通信Ｉ／Ｆ２９ｂを備え、これらは電気的に接続される。
【００７６】
検閲サーバ装置３０は、モニタ３１、操作部３４、サーバ制御部３７、ＨＤＤ３８、メモリ３８ｂ、及び通信Ｉ／Ｆ３９ａを備える。
【００７７】
放映サーバ装置５０は、モニタ５１、操作部５４、放映制御部５７、ＨＤＤ５８、メモリ５８ｂ、及び通信Ｉ／Ｆ５９ａを備える。
【００７８】
販売機１０のシステム制御部１７は、図４のプログラムブロック図のうち、操作ガイド部１７ａ、読込部１７ｂ、入力指示受付部１７ｃ、費用算出部１７ｇ、決済部１７ｈ、通信部１７ｊ、プリンタ制御部１７ｋ、及びユーザに放映させたい街頭テレビ装置２０を選択させるテレビ選択部１７ｍを実行する。
【００７９】
検閲サーバ装置３０のサーバ制御部３７は、図５のプログラムブロック図のうち、取得部３７ａ、検閲部３７ｂ、通信部３７ｆ、及び検閲部３７ｂが放映禁止条件に該当しないと判断した場合には、コンテンツファイルを放映サーバ装置５０に転送する指示を行ない、放映禁止条件に該当する場合には、連絡先情報を放映サーバ装置５０に転送する転送処理部３７ｈからなるプログラムを実行する。
【００８０】
放映サーバ装置５０の放映制御部５７は、図１６に示すプログラムメモリ５８ｂにロードし、実行する。次に図１６に基づいて放映制御部５７が実行するプログラムについて説明する。プログラムは、検閲サーバ装置３０からコンテンツファイルを取得する取得部５７ａ、ユーザが指定した街頭テレビ装置２０Ａ、Ｂに指定された放映時間帯においてコンテンツファイルを放映する放映制御部５７ｂ、放映が許可されなかった場合に返金処理を行う返金処理部５７ｃ、及び検閲サーバ装置３０及び街頭テレビ装置２０Ａ、Ｂとデータを送受信するための通信部５７ｄからなるプログラムを実行する。返金処理部５０ｃは、第一実施形態の返金処理部３７ｄと同様の処理を実行する。
【００８１】
〔処理の流れ〕
図１７に基づいて、第二実施形態の処理の流れを説明する。図１７は、本実施形態の処理の流れを説明するシーケンス図である。
【００８２】
Ｓ２１では、Ｓ１と同様、ユーザが販売機１０のメディアスロット１５に放映したいコンテンツファイルが記録されたメディア媒体１５ａを格納し、システム制御部１７がコンテンツファイルを読み取る（Ｓ２１）。
【００８３】
Ｓ２２では、システム制御部１７のテレビ選択部１７ｍが、受付用モニタ１１に図１８に示すテレビ選択画面１８０を表示する。テレビ選択画面１８０には、街頭テレビ装置２０Ａ、Ｂの設置住所、街頭テレビ装置２０Ａ、Ｂの大きさ、期待できる視聴者数、放映料金などの詳細情報を表示させるソフトボタンが表示される。街頭テレビ装置２０Ａ、Ｂの放映料金は、個別に設定してもよい。街頭テレビ装置２０Ａ、Ｂに関する情報は、販売機１０のＨＤＤ１８に予め格納しておいてもよいし、ユーザが販売機１０を操作する毎に、放映サーバ装置５０から街頭テレビ装置Ａ，Ｂに関する情報を受信して表示してもよい。ユーザは、放映を所望する街頭テレビ装置２０Ａ，２０Ｂを選択する（Ｓ２２）。選択は、一つの街頭テレビ装置Ａ，Ｂでもよいし、複数でもよい。
【００８４】
Ｓ２３乃至２５では、Ｓ２乃至４と同様に、放映時間を選択し（Ｓ２３）、放映料を算出し（Ｓ２４）、決済する（Ｓ２５）。Ｓ２６では、販売機１０から検閲サーバ装置３０に対してコンテンツファイル及びユーザが入力した所望の街頭テレビ装置２０Ａ、Ｂの選択結果情報、放映時間情報、連絡先情報を送信する（Ｓ２６）。
【００８５】
Ｓ２７では、検閲サーバ装置３０の取得部３７ａが販売機１０から受信し、検閲部３７ｂが受信したコンテンツファイルに基づいて検閲処理を行なう（Ｓ２７）。検閲処理は、第一実施形態のＳ８乃至Ｓ１４と同様の処理を行なう。
【００８６】
Ｓ２８では、転送処理部３７ｈが、検閲結果に応じて放映サーバ装置５０におけるその後の処理に必要な情報を転送する（Ｓ２８）。転送処理部３７ｈは、検閲部３７ｂ又は検閲者による検閲の結果、放映禁止条件に該当しない場合には、コンテンツファイル、放映時間情報、及び所望の街頭テレビ装置２０Ａ、Ｂの選択結果情報を放映サーバ装置５０に転送する指示を行なう。放映禁止条件に該当する場合には、返金処理を行うために必要な連絡先情報を放映サーバ装置５０に転送する指示を行なう。通信部３７ｆは、転送処理部３７ｈの指示に従ってコンテンツファイル、放映時間情報、及び所望の街頭テレビ装置２０Ａ、Ｂの選択結果情報又は連絡先情報を放映サーバ装置５０に送信する。検閲サーバ装置３０は、転送処理後にコンテンツファイルを削除してもよい。
【００８７】
Ｓ２９では、放映サーバ装置５０の取得部５７ａが、検閲サーバ装置３０からコンテンツファイル、放映時間情報、所望の街頭テレビ装置２０Ａ、Ｂの選択結果情報又は連絡先情報を受信する。放映制御部５７ｂは、コンテンツファイル、放映時間情報、所望の街頭テレビ装置２０Ａ、Ｂの選択結果情報を受信した場合には、その街頭テレビ装置２０Ａ、Ｂにユーザが指定した放映時間帯において映像信号及び音声信号を送信する（Ｓ２９）。街頭テレビ装置２０Ａ、２０Ｂは、通信Ｉ／Ｆ２９ａを介して映像信号及び音声信号を受信し大型モニタ２１に映像を表示し、スピーカ２２から音声を出力する（Ｓ３０）。放映が終了すると、放映サーバ装置５０はコンテンツファイル等不要になった情報を削除してもよい。
【００８８】
放映サーバ装置５０の取得部５７ａが、検閲サーバ装置３０から連絡先情報を受信するとＳ３１に進む。Ｓ３１では、返金処理部５７ｃは、第一実施形態のＳ１５と同様、受信した連絡先情報に基づいてユーザへの返金処理を行なう（Ｓ３１）。返金処理が終了すると、放映サーバ装置５０はコンテンツファイル等不要になった情報を削除してもよい。
【００８９】
本実施の形態により、ユーザは販売機１０により所望する街頭テレビ装置を単数又は複数選択して、所望する放映時間帯にコンテンツを放映することができる。
【００９０】
＜第三実施形態＞
図１９に基づいて第三実施形態にかかる放映システム１を説明する。本実施形態に係る放映システム１は、ネットワーク４０に複数の街頭テレビ装置２０Ａ、Ｂと、複数の街頭テレビ装置２０Ａ、Ｂの放映制御を行なう放映サーバ装置５０、及びユーザの自宅にあるパーソナルコンピュータやＰＤＡからなる端末装置６０とが接続される。そして、ユーザは、端末装置６０においてどの街頭テレビ装置２０にコンテンツファイルを放映させるかを指定する。放映サーバ装置５０は、検閲サーバ装置３０から放映許可されたコンテンツファイルを受信し、ユーザが指定した街頭テレビ装置２０にコンテンツファイルを放映する制御を行なう。
【００９１】
ユーザは、端末装置６０からインターネットなどのネットワーク４０を介して放映サーバ装置５０にアクセスし、放映権を購入するために必要な情報を入力するための画面、
例えば上記図８、９、１０、１１を取得する。ユーザは、端末装置６０に表示された画面に沿って、所望する街頭テレビの選択情報、放映時間情報、コンテンツの放映に対する決済情報、返金のための連絡先情報、及びコンテンツファイル情報を放映サーバ装置５０に送信する。決済は、クレジットカード番号を送信してもよいし、インターネットバンキングによるネット決済を利用してもよい。端末装置６０、検閲サーバ装置３０、放映サーバ装置５０、街頭テレビ装置２０Ａ，２０Ｂ、の処理の流れは、図１７の販売機１０を端末装置６０に置き換えた場合と同様である。
【００９２】
本実施の形態により、ユーザは家庭のパソコンなどの端末装置から放映権を購入することができ、放映時間販売機の設置場所まで出かける必要がなく、便利性を向上させることができる。
【図面の簡単な説明】
【００９３】
【図１】第一実施形態に係る放映システムの概略構成図。
【図２】販売機及び街頭テレビ装置の外観図。
【図３】放映システム１を構成する販売機、街頭テレビ装置、及び検閲サーバ装置の概略構成を示すブロック図。
【図４】販売機のシステム制御部が実行するプログラムの構成を示すブロック図。
【図５】検閲サーバ装置のサーバ制御部が実行するプログラムの構成を示すブロック図。
【図６】販売機により放映時間を販売する処理の流れを示すフローチャート。
【図７】販売機より放映時間を販売した後の処理の流れを示すフローチャート。
【図８】放映時間入力画面の画面表示例を示す模式図。
【図９】連絡先入力画面の画面表示例を示す模式図。
【図１０】確認画面の画面表示例を示す模式図。
【図１１】料金表示画面の画面表示例を示す模式図。
【図１２】終了画面の画面表示例を示す模式図。
【図１３】ＨＤＤに格納されるコンテンツファイル管理ＤＢの構造を示す模式図。
【図１４】第二実施形態に係る放映システムの概略構成図。
【図１５】第二実施形態に係る販売機、検閲サーバ装置、放映サーバ装置の概略構成を示すブロック図。
【図１６】放映制御部が実行するプログラムの構成を示すブロック図。
【図１７】第二実施形態の処理の流れを説明するシーケンス図。
【図１８】テレビ選択画面の画面表示例を示す模式図。
【図１９】第三実施形態に係る放映システムの概略構成図。
【符号の説明】
【００９４】
１：放映システム、１０：放映時間販売機、２０：街頭テレビ装置、３０：検閲サーバ装置、４０：ネットワーク、５０：放映サーバ装置、６０：端末装置
【図１】
2007034597.tif 000003
【図２】
2007034597.tif 000004
【図３】
2007034597.tif 000005
【図４】
2007034597.tif 000006
【図５】
2007034597.tif 000007
【図６】
2007034597.tif 000008
【図７】
2007034597.tif 000009
【図８】
2007034597.tif 000010
【図９】
2007034597.tif 000011
【図１０】
2007034597.tif 000012
【図１１】
2007034597.tif 000013
【図１２】
2007034597.tif 000014
【図１３】
2007034597.tif 000015
【図１４】
2007034597.tif 000016
【図１５】
2007034597.tif 000017
【図１６】
2007034597.tif 000018
【図１７】
2007034597.tif 000019
【図１８】
2007034597.tif 000020
【図１９】
2007034597.tif 000021